(57)【要約】      （修正有）【課題】比較的簡易な構成で自励振動を効果的に抑制できる電磁弁を提供する。【解決手段】コイルスプリング５０の両端は、切断後の成形や研削等の端部加工が特に施されておらず、オープンエンドの端部５２となっている。すなわち、コイルスプリング５０は、無負荷状態においてその軸線方向と垂直な平面に載置された場合にその平面と非接触となる非接触部が存在するように形成された端部５２を有する。その端部５２の巻回部により形成される端面５３（仮想平面）は、コイルスプリング５０の軸線方向と垂直な面に対して傾斜している。端部５２の素線の先端５４，５６は、それぞれコイルスプリング５０の軸線ｌからオフセットした位置に配置される【選択図】図２
2011133064.tif 000002
【特許請求の範囲】
【請求項１】
ソレノイドにより開閉制御される弁部を備えた電磁弁であって、
作動流体を通過させる内部通路が形成されたボディと、
前記ボディの端部に設けられたスリーブと、
前記内部通路に設けられた弁座に接離可能に配置されて前記弁部を開閉可能な弁体と、
前記ボディの内周面にガイドされつつ軸線方向に摺動可能に配設されて、その一端側に前記弁体を一体動作可能に支持するプランジャと、
前記プランジャと前記スリーブとの間に介装され、前記弁体を前記ソレノイドの吸引力に抗して開弁方向または閉弁方向に付勢するコイルスプリングと、を備え、
前記コイルスプリングとして、所定断面の素線を巻回して構成され、無負荷状態においてその軸線方向と垂直な平面に載置された場合にその平面と非接触となる非接触部が存在するように形成された無研削の端面を有し、その端面が前記軸線方向と垂直な面に対して傾斜するものが用いられ、
前記コイルスプリングの前記非接触部が存在する端面における素線の先端が、前記プランジャの軸線からオフセットした位置に配置されるように構成されていることを特徴とする電磁弁。
【請求項２】
前記コイルスプリングの素線の一端と他端とを結ぶ直線と、前記コイルスプリングの軸線とが交差又はねじれの位置の関係となるよう、前記コイルスプリングの両端部が形成されていることを特徴とする請求項１に記載の電磁弁。
【請求項３】
前記コイルスプリングの素線の一端と他端とが、そのコイルスプリングを軸線方向にみてその軸線に対して対称な位置関係となるよう、前記コイルスプリングの両端部が形成されていることを特徴とする請求項２に記載の電磁弁。
【請求項４】
前記スリーブと前記プランジャとが、前記コイルスプリングを介装する対向面が互いに略平行となるように設けられ、
前記スリーブが、前記コイルスプリングを収容する所定深さのガイド穴を有し、そのガイド穴の底面により前記コイルスプリングの一端面を支持する一方、そのガイド穴の内周面によって前記コイルスプリングの軸線方向と垂直な方向への変位を規制するように構成され、
前記コイルスプリングが、前記非接触部が存在する端面が前記プランジャと対向するように配置されていることを特徴とする請求項１〜３のいずれかに記載の電磁弁。
【発明の詳細な説明】
【技術分野】
【０００１】
本発明は、ソレノイド駆動により弁部を開閉して作動流体の流量を制御可能な電磁弁に関する。
【背景技術】
【０００２】
従来より、液圧制動力を発生させるブレーキ装置など、制御対象に作動流体を送り込む装置においては、作動流体の供給経路内にその流量を調整するための電磁弁が設けられている。そして、その電磁弁を開閉制御することにより作動流体の給排量を調整し、制御対象を適切に作動させる制御を実現している。
【０００３】
このような電磁弁は、弁部を内蔵したボディと弁部を駆動するソレノイドとを組み付けて構成されている。ボディ内において作動流体が導入・導出される通路には弁座が設けられており、その弁座に着脱して弁部を開閉可能な弁体が配設されている。弁体は、ソレノイドを構成するプランジャに一体に支持される。例えば、常閉型の電磁弁においてソレノイドに通電がなされると、ソレノイドの固定鉄心とプランジャとの間に吸引力が発生し、弁体が弁座から離間する開弁方向に動作する。プランジャと固定鉄心との間には、その吸引力に抗してプランジャひいては弁体を固定鉄心から離間させる閉弁方向に付勢するスプリングが介装されている。このため、ソレノイドへの通電が遮断されると、弁体が弁座に着座して閉弁状態を保持する。ソレノイドに通電がなされた制御中においては、弁体に負荷される前後差圧による力、ソレノイドの吸引力、およびスプリングによる荷重がバランスするように弁開度が調整される。
【０００４】
ところで、このような電磁弁においては一般に、作動流体による起振力等が原因となってプランジャが自励振動し、異音を発生させる場合がある。このような問題に対し、例えばプランジャの摺動部にある程度の摩擦力を発生させてその振動を減衰させる技術が提案されている（例えば特許文献１参照）。具体的には、ボディ内におけるスプリングの受け面を傾斜させることでスプリングによる偏荷重を発生させ、プランジャをボディの摺動面に押し付けるようにして摩擦を発生させるものである。
【先行技術文献】
【特許文献】
【０００５】
【特許文献１】特開平５−９９３６３号公報
【発明の概要】
【発明が解決しようとする課題】
【０００６】
しかしながら、引用文献１の実施例に記載のように、筒状のボディ内に傾斜面を形成しようとすると、特殊な工具を使用する必要があるなど加工が煩雑になる可能性が高い。一方、スプリングの荷重調整用の部材に予め傾斜面を形成し、それをボディに組み付けることも考えられるが、そのような別部材を必須とすると部品点数が多くなる。このため、いずれにしても製造コストが嵩むといった問題がある。
【０００７】
本発明はこのような問題に鑑みてなされたものであり、比較的簡易な構成で自励振動を効果的に抑制できる電磁弁を提供することを目的とする。
【課題を解決するための手段】
【０００８】
上記課題を解決するために、本発明のある態様の電磁弁は、ソレノイドにより開閉制御される弁部を備えた電磁弁であって、作動流体を通過させる内部通路が形成されたボディと、ボディの端部に設けられたスリーブと、内部通路に設けられた弁座に接離可能に配置されて弁部を開閉可能な弁体と、ボディの内周面にガイドされつつ軸線方向に摺動可能に配設されて、その一端側に弁体を一体動作可能に支持するプランジャと、プランジャとスリーブとの間に介装され、弁体をソレノイドの吸引力に抗して開弁方向または閉弁方向に付勢するコイルスプリングと、を備える。コイルスプリングとしては、所定断面の素線を巻回して構成され、無負荷状態においてその軸線方向と垂直な平面に載置された場合にその平面と非接触となる非接触部が存在するように形成された無研削の端面を有し、その端面が軸線方向と垂直な面に対して傾斜するものが用いられる。そして、コイルスプリングの非接触部が存在する端面における素線の先端が、前記プランジャの軸線からオフセットした位置に配置されるように構成されている。
【０００９】
ここでいう「弁部」は、弁体と弁座とにより構成されて作動流体が流れる通路を開閉する部分を意味する。「作動流体」は、液体、気体、気液混合体のいずれであってもよい。「スリーブ」は、ボディに組み付けられるものであってもよいし、ボディに一体成形されたものであってもよい。「弁体」は、プランジャの一端側に組み付けられるものであってもよいし、プランジャに一体成形されたものであってもよい。「コイルスプリング」は、長尺状の素線をコイル状に巻回して構成されたものでよく、非接触部が存在する端面には研削等の切削加工が施されていないものでよい。「非接触部」は、コイルスプリングの一方の端面のみに設けられてもよいし、両端面に設けられてもよい。
【００１０】
すなわち、電磁弁に適用されるコイルスプリングは一般に、素線をコイル状に巻回して長尺状に形成した後、その軸線方向の両端を軸線に垂直な平面上に巻回してリング状に閉じ、さらにその軸線方向の両端面を研削などにより平面状とする端部処理が行われる。このような端部処理が施されることにより、コイルスプリングを安定に設置できるようになる。この態様では、コイルスプリングの少なくとも一方の端部について、このような端部処理が省略される。
【００１１】
この態様によれば、コイルスプリングの少なくとも一方の端面に非接触部が存在し、コイルスプリングがその端面において軸線方向と垂直な面に対して傾斜する。それにより、コイルスプリングの先端部が軸線からオフセットした位置にて局部的な当接をするようになる。このため、そのコイルスプリングが軸線方向に圧縮された際には、その周方向位置によって軸線方向の荷重分布に偏りが生じる。したがって、ソレノイドに通電がなされてプランジャがスリーブに対して近接方向に動作した際には、両者間に介装されたコイルスプリングによる偏荷重がプランジャに付与されるようになる。すなわち、プランジャに対して軸線方向の付勢力のほか、その軸線方向と直角方向の分力が作用するようになり、プランジャがその分力の方向に変位してボディに押し付けられる。その結果、プランジャは、ボディに押し付けられた部分において摩擦による摺動抵抗を受けるようになり、その減衰力によって自励振動が抑制されるようになる。
【００１２】
コイルスプリングの素線の一端と他端とを結ぶ直線と、コイルスプリングの軸線とが交差又はねじれの位置の関係となるよう、コイルスプリングの両端部が形成されていてもよい。このようにコイルスプリングにおいて軸線方向の当接部となる両端を、その軸線に対して反対側に位置させることで、そのコイルスプリングが軸線方向に圧縮された際の負荷が軸線の片側に集中することを抑制することができる。その結果、コイルスプリングの座屈が抑制され、それにより荷重損失が生じたり、コイルスプリングの摩耗が大きくなることを抑制することができる。
【００１３】
さらに、コイルスプリングの素線の一端と他端とが、そのコイルスプリングを軸線方向にみてその軸線に対して対称な位置関係となるよう、コイルスプリングの両端部が形成されていてもよい。このような構成により、コイルスプリングに作用する軸線と直角方向の分力を一方向に大きくすることができ、プランジャに対してその軸線と直角方向の分力を効率的に作用させることができる。また、コイルスプリングへの圧縮荷重の負荷点が軸線に対してバランスした位置となるため、コイルスプリングの座屈を効果的に抑えることができる。  
また、スリーブとプランジャとは、コイルスプリングを介装する対向面が互いに略平行となるように設けられてよい。そして、スリーブが、コイルスプリングを収容する所定深さのガイド穴を有し、そのガイド穴の底面によりコイルスプリングの一端面を支持する一方、そのガイド穴の内周面によってコイルスプリングの軸線方向と垂直な方向への変位を規制するように構成され、コイルスプリングが、その非接触部が存在する端面がプランジャと対向するように配置されてもよい。  
この態様によれば、コイルスプリングの軸線方向と垂直な方向への変位が規制されることで、コイルスプリングの挙動を安定させることができる。一方、コイルスプリングの非接触部が存在する端面がプランジャと対向配置されるため、そのコイルスプリングの端部とプランジャとの局部的な当接が実現され、プランジャに軸線方向の付勢力のみならず、その軸線に直角な方向の分力が付与される。その結果、プランジャが、ボディに押し付けられて摩擦による摺動抵抗を受けるようになり、その減衰力によって自励振動が抑制されるようになる。
【発明の効果】
【００１４】
本発明の電磁弁によれば、比較的簡易な構成で自励振動を効果的に抑制できる。
【図面の簡単な説明】
【００１５】
【図１】本発明の第１実施形態に係る電磁弁の構成を表す断面図である。
【図２】電磁弁に組み込まれるコイルスプリングの構造および作用を表す部分拡大図である。
【図３】コイルスプリングによる作用を表す図である。
【図４】第２実施形態にかかる電磁弁に組み込まれるコイルスプリングの構造および作用を表す部分拡大図である。
【発明を実施するための形態】
【００１６】
以下、図面を参照しつつ本発明を実施するための最良の形態について詳細に説明する。［第１実施形態］
図１は、本発明の第１実施形態に係る電磁弁の構成を表す断面図である。なお、以下の説明では便宜的に図示の状態を基準に各構成の位置関係を表現することがある。  
本実施形態の電磁弁は、車両用ブレーキ装置において液圧源とホイールシリンダとをつなぐ液圧回路に配置され、作動流体としてのブレーキフルードの流量を制御するものである。なお、本実施形態においてはその電磁弁の構成に特徴を有し、ブレーキ装置の一般的な構成および動作については公知であるため、後者の説明については省略する。
【００１７】
電磁弁１は、ホイールシリンダ内の液圧を増圧させる増圧弁または減圧させる減圧弁として使用され、非通電時は閉弁した状態にあり、必要に応じて通電されて開弁される常閉型のリニア制御弁として構成されている。電磁弁１は、内部に弁部を有するボディ２と、その弁部の開度を制御するためのソレノイド３とを含んで構成される。
【００１８】
ボディ２は、段付円筒状をなし、その下端開口部にはブレーキフルードを上流側（一次圧側）から導入する導入ポート１０が設けられ、長手方向中央付近の側部にはそのブレーキフルードを下流側（二次圧側）へ導出する一対の導出ポート１２が設けられている。これら導入ポート１０と導出ポート１２とを連通する通路には、有底円筒状の弁座部材１４が圧入されており、弁座部材１４の底部中央には、これを軸線方向に貫通する弁孔１６が設けられている。弁孔１６の導出ポート１２側の開口部はテーパ状に形成され、そのテーパ面によって弁座１８が形成されている。ボディ２内の弁座１８の下流側には、弁体２０が配置されている。弁体２０は、段付円柱状をなし、その基端部が後述のプランジャ３２の一端側（図の下端側）に圧入され、プランジャ３２と一体的に動作する。弁体２０の先端部は縮径されて、その半球状の先端面にて弁座１８に着脱して弁部を開閉する。
【００１９】
一方、ソレノイド３は、ボディ２の上端部に接合された有底円筒状のスリーブ３０と、ボディ２とスリーブ３０とに囲まれた空間に配置された円柱状のプランジャ３２と、スリーブ３０に対して外挿されたコイル部３４とを備えている。コイル部３４は、ボディ２に外挿される円筒状のボビン３６と、ボビン３６に巻回された電磁コイル３８と、電磁コイル３８を外方から覆うようにして収容するケース４０とを備えている。スリーブ３０は、プランジャ３２および電磁コイル３８とともに磁気回路を形成する固定鉄心として機能する磁性体からなる。ボディ２は非磁性部材から構成されている。なお、本実施形態において、ボディ２とスリーブ３０とを合わせたものが電磁弁１全体としてのボディを構成すると捉えることもできる。プランジャ３２は、そのボディ内を弁部側の弁室４２と弁部と反対側の背圧室４４とに区画する。
【００２０】
プランジャ３２の周縁部には、そのプランジャ３２を軸線方向に貫通する複数の連通路４６が形成されており、弁室４２に流入した作動液がその連通路４６を介して背圧室４４にも導入されるようになっている。プランジャ３２は、背圧室４４側でスリーブ３０に対向配置されている。
【００２１】
スリーブ３０のプランジャ３２との対向面には所定深さのガイド穴４８が設けられ、そのガイド穴４８の底面とプランジャ３２の上端面（弁体２０とは反対側の端面）との間にコイルスプリング５０が介装されている。ガイド穴４８とプランジャ３２とは、そのコイルスプリング５０を介装する対向面において互いに略平行となる。コイルスプリング５０は、プランジャ３２を介して弁体２０を閉弁方向に付勢する付勢手段として機能する。本実施形態においては、プランジャの自励振動を抑制するために、コイルスプリング５０の形状に工夫がなされている。
【００２２】
図２は、電磁弁に組み込まれるコイルスプリングの構造および作用を表す部分拡大図である。（Ａ）はそのコイルスプリングの組み込み前の自然長の状態を表す一側面図であり、（Ｂ）は（Ａ）のコイルスプリングを軸線周りに９０度ずれた位置からみた側面図である。（Ｃ）はコイルスプリングが電磁弁内にて圧縮荷重を受けている状態を示す説明図である。（Ｄ）は（Ｃ）のコイルスプリングの上面視を示す図である。図３は、コイルスプリングによる作用を表す図である。
【００２３】
図２（Ａ）および（Ｂ）に示すように、コイルスプリング５０は、円断面の長尺状の素線を巻回してコイル状に加工されたばね素材を所定長さに切断して得られるものである。コイルスプリング５０の両端は、切断後の成形や研削等の端部加工が特に施されておらず、オープンエンドの端部５２となっている。すなわち、コイルスプリング５０は、無負荷状態においてその軸線方向と垂直な平面に載置された場合にその平面と非接触となる非接触部が存在するように形成された端部５２を有する。その端部５２の巻回部により形成される端面５３（仮想平面）は、コイルスプリング５０の軸線方向と垂直な面に対して傾斜している。端部５２の素線の先端５４，５６は、それぞれコイルスプリング５０の軸線ｌからオフセットした位置に配置される。
【００２４】
このため、図２（Ｃ）に示したように、コイルスプリング５０がスリーブ３０とプランジャ３２との間に介装されるように組み付けられ、弁体２０が開弁方向にリフトした状態においては、コイルスプリング５０は圧縮され、その先端５４，５６にてそれぞれスリーブ３０、プランジャ３２の各対向面に当接する。図２（Ｄ）にも示すように、コイルスプリング５０による荷重中心が図中軸線中心から偏心し、その荷重による最大応力部が図中上面のＡ部および下面のＢ部と局所的となる。
【００２５】
このとき、プランジャ３２およびスリーブ３０のそれぞれとコイルスプリング５０とがほぼ点接触にて当接するため、コイルスプリング５０の周方向位置によって軸線方向の荷重分布に偏りが生じる。すなわち、プランジャ３２には、コイルスプリング５０の先端５４と先端５６を結ぶ線の方向（二点鎖線参照）に力が作用し、その分力が半径方向に作用するようになる（白矢印参照）。また、軸線方向の分力（黒矢印参照）が、コイルスプリング５０の軸線ｌからオフセットした位置に作用するようになる。
【００２６】
図３にも示すように、この半径方向の分力はプランジャ３２に対してその軸中心よりも右方に偏った偏荷重として付与される。この結果、コイルスプリング５０とプランジャ３２との間に右方への摩擦力（黒矢印参照）を発生させる。また、軸線方向の分力は、プランジャ３２にその重心周りの回転モーメントを発生させるようになる。その結果、プランジャ３２の軸線（太い一点鎖線参照）がボディ２の軸線（細い一点鎖線参照）に対してやや傾くとともに、片側（図示の例では右側）にオフセットする。それにより、プランジャ３２が右方のＰ点にてボディ２の内周面に比較的強く押し付けられ、摩擦による摺動抵抗（白矢印参照）を発生させる。その摺動抵抗が減衰力となってプランジャ３２の自励振動が抑制されるようになる。
【００２７】
図１に戻り、以上のように構成された電磁弁１において、ソレノイド３への通電が停止されると、コイルスプリング５０の付勢力によってプランジャ３２が閉弁方向に移動して弁体２０が弁座１８に着座する。このとき、コイルスプリング５０が伸長するにつれてそのコイルスプリング５０とプランジャ３２との摩擦力も低下するため、プランジャ３２がボディ２から受ける摺動抵抗も低減する。また、弁座１８を形成するテーパ面に弁体２０の球状面がガイドされるため、弁部の安定した閉弁動作を担保することができる。
【００２８】
一方、ソレノイド３への通電がなされると、そのソレノイド３の吸引力によってプランジャ３２がコイルスプリング５０の付勢力に抗してスリーブ３０に近接する方向に変位する。それにより弁体２０が弁座１８から離間し、弁部はその通電量に応じた開度に制御される。このとき、弁部の前後差圧の変動により弁体２０およびプランジャ３２に自励振動が発生しようとしても、コイルスプリング５０の偏荷重による上述した摺動抵抗が発生するため、その自励振動は防止されるか少なくとも抑制されるようになる。
【００２９】
以上に説明したように、本実施形態の電磁弁１においては、両端部５２に非接触部が存在する端面を有するコイルスプリング５０がスリーブ３０とプランジャ３２との間に介装される。各端部５２の先端がコイルスプリング５０の軸線ｌからオフセットした位置に配置されているため、コイルスプリング５０が圧縮された際に偏荷重を発生させることができ、その偏荷重によりプランジャ３２に適度な摺動抵抗を作用させることができる。それにより、プランジャ３２の自励振動ひいてはそれによる異音の発生を抑制することができる。
【００３０】
また、コイルスプリング５０の素線の一端側の先端５４と他端側の先端５６とが軸線ｌに対して対称な位置に設けられているため、コイルスプリング５０に圧縮荷重による座屈が生じることを効果的に防止することができる。さらに、コイルスプリング５０がスリーブ３０に設けられたガイド穴４８に収容される構成となっているが、スリーブ３０側の底面を傾斜させる必要もない。コイルスプリング５０は、長尺状のばね素材を切断して得られ、その後に特に端部処理を行う必要がないため、製造コストを抑えることもできる。
【００３１】
［第２実施形態］
次に、本発明の第２実施形態について説明する。本実施形態に係る電磁弁は、コイルスプリングの形状が異なる以外は第１実施形態の電磁弁と同様である。このため、上記第１実施形態とほぼ同様の構成部分については同一の符号を付してその説明を省略する。
【００３２】
図４は、第２実施形態にかかる電磁弁に組み込まれるコイルスプリングの構造および作用を表す部分拡大図である。（Ａ）はそのコイルスプリングの組み込み前の自然長の状態を表す一側面図であり、（Ｂ）は（Ａ）のコイルスプリングを軸線周りに９０度ずれた位置からみた側面図である。（Ｃ）はコイルスプリングが電磁弁内にて圧縮荷重を受けている状態を示す説明図である。（Ｄ）は（Ｃ）のコイルスプリングの上面視を示す図である。
【００３３】
本実施形態の電磁弁においても、スリーブ３０とプランジャ３２との間に、プランジャ３２を閉弁方向に付勢するコイルスプリング２５０が介装されている。コイルスプリング２５０は、素線を巻回してコイル状に加工されたばね素材を所定長さに切断した後、その一方の端部に素線の巻回を閉じる加工が施されて得られる。このため、図４（Ａ）および（Ｂ）に示すように、コイルスプリング２５０の一端側はオープンエンドの形状で非接触部が存在する端面５３を有する端部５２となっているが、他端側はクローズドエンドの形状で非接触部が存在する端面２５３を有する巻回部２５２となっている。なお、ここでいう「オープンエンド」とは、端末がコイル軸方向に隣のコイルと隙間がある形状を意味し、「クローズドエンド」とは、端末がコイル軸方向に隣のコイルと接している形状を意味する。すなわち、巻回部２５２は、素線の先端部が隣接するコイルに当接して巻回が閉じられるが、平面上に載置したときに非接触部が存在する構造となっている。巻回部２５２の端面２５３には研削等による平面加工が施されていないため、巻回部２５２が、コイルスプリング２５０の軸線ｌに直角な平面に対して小さな傾斜角を有する。コイルスプリング２５０の素線の先端５４，５６は、それぞれコイルスプリング２５０の軸線ｌからオフセットした位置に配置される。
【００３４】
このため、図４（Ｃ）に示したように、コイルスプリング２５０がスリーブ３０とプランジャ３２との間に介装されるように組み付けられて圧縮されると、コイルスプリング２５０は、その先端５４と先端５６の近傍にてそれぞれスリーブ３０、プランジャ３２の各対向面に当接する。図４（Ｄ）にも示すように、コイルスプリング５０における当接部は、図中上面のＡ部にて第１実施形態と同様に局所的となるが、下面のＣ部において先端５６とそれにつながる所定長さ部位（太い点線参照）にて当接するようになる。すなわち、コイルスプリング２５０のプランジャ３２側との当接部は、軸線周りの所定角度の範囲で線接触状態となる。本実施形態では、９０度から１５０度の範囲に当接部が形成されるようになる。
【００３５】
このとき、コイルスプリング２５０の周方向位置によって軸線方向の荷重分布に偏りが生じる。すなわち、プランジャ３２には、コイルスプリング２５０の先端５４と先端５６の近傍とを結ぶ線の方向（二点鎖線参照）に力が作用し、その分力が半径方向に作用するようになる（白矢印参照）。この半径方向の分力はプランジャ３２に対してその軸中心よりも右方に偏った偏荷重として付与されるため、コイルスプリング２５０とプランジャ３２との間に摩擦力を発生させる。また、軸線方向の分力（黒矢印参照）が、コイルスプリング５０の軸線ｌからオフセットした位置に作用するようになり、プランジャ３２にその重心周りの回転モーメントを発生させるようになる。その結果、第１実施形態と同様の作用効果を発揮するようになる。また、本実施形態ではコイルスプリング２５０の一方の端部を軸線と垂直に近い形状に構成したため、第１実施形態と比較して電磁弁内における安定した組み付けを実現できるようになる。
なお、本実施形態においては、コイルスプリング２５０の一端側をオープンエンド、他端側をクローズドエンドの形状としたが、変形例においては両端部をクローズドエンドの形状としてもよい。
【００３６】
本発明は上述の各実施形態に限定されるものではなく、当業者の知識に基づいて各種の設計変更等の変形を各実施形態に対して加えることも可能であり、そのような変形が加えられた実施形態も本発明の範囲に含まれうる。
【００３７】
例えば、各実施形態では常閉型の電磁弁を例に説明したが、非通電時は開弁した状態にあり、必要に応じて通電されて閉弁される常開型のリニア制御弁として構成することもできる。具体的には、ソレノイドによりプランジャに閉弁方向の吸引力を付与し、コイルスプリングによりプランジャを開弁方向に付勢するように構成してもよい。概略的には、例えば図１に示したような電磁弁において、プランジャとスリーブ（固定鉄心）の位置関係を入れ替えてもよい。そして、プランジャに固定された弁体をスリーブの中央を貫通させて弁座に着脱できるようにし、プランジャとスリーブとの間にコイルスプリングを介装させるようにしてもよい。
【００３８】
また、各実施形態では電磁弁をブレーキ装置の液圧制御に用いられる液圧制御弁として構成した例を示したが、他の制御対象の動作を制御するために作動流体の流量を制御する制御弁として構成してもよい。
【符号の説明】
【００３９】
１  電磁弁、  ２  ボディ、  ３  ソレノイド、  １６  弁孔、  １８  弁座、  ２０  弁体、  ３０  スリーブ、  ３２  プランジャ、  ５０  コイルスプリング、  ５２  端部、  ２５０  コイルスプリング、  ２５２  巻回部。
【図１】
2011133064.tif 000003
【図２】
2011133064.tif 000004
【図３】
2011133064.tif 000005
【図４】
2011133064.tif 000006